(57)【特許請求の範囲】
【請求項１】
壁側に固定される枠体と、この枠体の少なくとも一つの外寸法とほぼ同じ内寸法を有し、一面が開口した浅い箱状の化粧カバーとを備え、この化粧カバーの開口を枠体に向け、化粧カバーによって枠体を完全に覆うように装着するものであって、枠体の外周部に複数の係合突部を設けると共に、枠体における少くも１つの係合突部の近傍に変形用孔を設け、以て係合突部が化粧カバーの厚さ方向に変形しやすいようにし、内面を滑らかにした一体の裾部を有する化粧カバーを、その裾部の内面を前記枠体の係合突部に摺接させるようにして枠体に被せることにより、係合突部と化粧カバーの裾部内面との間の摩擦係合を介して、化粧カバーを枠体に着脱可能に係止させたことを特徴とする壁部装着機器の化粧カバー取付け装置。
【発明の詳細な説明】
【０００１】
【発明の属する技術分野】
この発明は、壁部分に取り付けられる機器、すなわち、電気スイッチ、コンセント、鍵情報読取り装置用のシリンダ錠、あるいは表示灯その他の機器類の化粧カバー取付け装置の改良に関する。
【０００２】
【従来の技術】
従来のこの種の壁部装置の化粧カバー取付け装置としては、図７〜図９に示すように、壁１０側に取付けねじ１０８で固定される枠体１０１の外周部１０２に、外方に向け複数の第１突部１０３、１０３を設けると共に、枠体１０１における各第１突部１０３の近傍に変形用孔１０４を設ける。
【０００３】
そして、枠体１０１の外周部１０２を覆うことができ、内面に前記第１突部１０３、１０３に対応させた第２突部１０７、１０７を設けた一体の裾部１０６を有する化粧カバー１０５を、前記枠体１０１の第１突部１０３、１０３に該化粧カバー１０５の第２突部１０７を係合させることにより着脱可能に係止させたものを挙げることができる。
【０００４】
【発明が解決しようとする課題】
しかしながら、本願の発明者は、化粧カバー取付け装置において、枠体にのみ係合突部を設ければ、化粧カバー側には係合突部を設けなくてもそれを外れることなく枠体に係着させうることを試験的に十分に調べ、本発明を提案するに至った。
【０００５】
そして、この発明の壁部装着機器の化粧カバー取付装置は、その構造を簡単にすること、製作においてコストダウンを計ること及び外観をよくすること等を目的としている。
【０００６】
【課題を解決するための手段】
上記の目的を達成するため、この発明に係る化粧カバーの取付け装置は、壁側に固定される枠体と、この枠体の少なくとも一つの外寸法とほぼ同じ内寸法を有し、一面が開口した浅い箱状の化粧カバーとを備え、この化粧カバーの開口を枠体に向け、化粧カバーによって枠体を完全に覆うように装着するものであって、枠体の外周部に複数の係合突部を設けると共に、枠体における少くも１つの係合突部の近傍に変形用孔を設け、以て係合突部が化粧カバーの厚さ方向に変形しやすいようにし、内面を滑らかにした一体の裾部を有する化粧カバーを、その裾部の内面を前記体の係合突部に摺接させるようにして枠体に被せることにより、係合突部と化粧カバーの裾部内面との間の摩擦係合を介して、化粧カバーを枠体に着脱可能に係止させたことを特徴とする。
【０００７】
【発明の実施の形態】
以下、図面に示す実施例に基いてこの発明について説明する。
図１〜図６において、１０は電気スイッチ、コンセント、鍵情報読取り装置、あるいは表示灯その他の機器類２０を取り付ける壁を示す。
【０００８】
この発明の構成部材である後記の枠体１及び化粧カバー４は、いずれもステンレススチール板、アルミニウム板等の金属板又は強靱な合成樹脂材料で作られる。
【０００９】
壁１０側に取付けねじ９等により直接又は間接的に固定される例えば正面長方形状をなす枠体１には、その正面板部１１より直角に折り曲げられた外周部１２が備えられている。
【００１０】
そして、その外周部１２には、複数の係合突部２が外方に向け一体に設けてある。係合突部２の正面形は小円状、細長い長方形状など任意に形成することができる。
【００１１】
更に、前記の枠体１における少くも１つの係合突部２の近傍には、打ち抜き等の手段で作られた変形用の孔３が設けられる。
【００１２】
変形用孔３は、後記の化粧カバー４が枠体１に対し係脱される時、係合突部２が設けられた外周部１２が弾性変形し易いようにするために作られたものである。
【００１３】
一方、枠体１の外周部１２を覆うことができるようにした化粧カバー４は、正面形を枠体１の正面形に対応させて例えば長方形状に形成し、その正面板部４１より直角に折り曲げられた一体の裾部４２を周辺に設ける。
【００１４】
枠体１及び化粧カバー４の他の正面形としては、正方形、円形、又は長円形のものを挙げることができる。
【００１５】
前記の裾部４２には、係合突部等の凹凸は一切設けることを要せず、その内外面は滑らかな平板面又は滑らかな弯曲面に形成し、枠体１の外側に化粧カバー４を嵌め合わせた時、化粧カバー４における裾部４２の内面を枠体１の係合突部２に摺接させることにより、該化粧カバー４を着脱可能に係止又は係合させることができる。
【００１６】
図示例では、図３及び図５に示すように、枠体１の長手方向（上下方向）の外寸法Ｌ1と、化粧カバー４の長手方向（上下方向）の内寸法Ｌ2とをほぼ同寸法とし、図１に示すように、枠体１の外側に対し化粧カバー４を強制的に嵌め込んだ時、化粧カバー４の裾部４２の内壁により枠体１における外周部１２の係合突部２が押されると、変形用孔３の存在により枠体１の一部、すなわち、主として外周部１２が弾性変形して、枠体１に対し化粧カバー４が装着される。
【００１７】
図中、符号１３、４３は、枠体の下方側の外周部１２及び化粧カバー４の下方側の裾部４２にそれぞれ設けた切欠きで、一旦枠体１に係着させた化粧カバー４を取り外す時、ドライバー等の工具の先を係入させて化粧カバー４を引き離すために利用される。
【００１８】
また、符号１４、４４は枠体１の正面板部１１及び化粧カバー４の正面板部４１にそれぞれ設けた窓で、機器類２０を外部へ露出させるためのものである。
【００１９】
【発明の効果】
以上に説明したこの発明の壁部装着機器の化粧カバー取付け装置によれば、化粧カバーが極めて簡単な形に形成されているので、製作においてコストダウンが計れるのみならず、化粧カバーの裾部にプレスによる凹陥部などが形成されていないので、外観が体裁よく仕上げられており見た目がよい、などの効果を奏する。
【００２０】
そしてまた、枠体と化粧カバーとの間の係止力も従来のものと比較してもほとんど引けを取ることがない。
【図面の簡単な説明】
【図１】この発明の実施例を一部切除して示す正面図。
【図２】図１のＩＩ−ＩＩ線による横断平面図。
【図３】図１の実施例から取り外した枠体の正面図。
【図４】その底面図。
【図５】図１の実施例から取り外した化粧カバーの正面図。
【図６】その底面図。
【図７】従来例の壁部装着機器の化粧カバー取付け装置を一部切除して示す正面図。
【図８】図７のＶＩＩＩ−ＶＩＩＩ線による横断平面図。
【図９】図７の従来例の底面図。
【符号の説明】
１０  壁
１  枠体
１２  外周部
２  係合突部
３  変形用孔
４  化粧カバー
４２  裾部
【図１】
0003795122.tif 000002
【図２】
0003795122.tif 000003
【図３】
0003795122.tif 000004
【図４】
0003795122.tif 000005
【図５】
0003795122.tif 000006
【図６】
0003795122.tif 000007
【図７】
0003795122.tif 000008
【図８】
0003795122.tif 000009
【図９】
0003795122.tif 000010